(57)【要約】【課題】ＳＬタイプとＤＬタイプの判別を正確に行うことが可能な光ディスクの判別方法を提供する。【解決手段】本発明の光ディスクの判別方法は、光ビームを照射する側から見て、光ディスクの表面に最も近い位置にある情報記録層に、光ディスクに照射する光ビームの焦点を合わせるステップと、焦点を合わせた光ビームを、前記光ディスクの所定の領域に照射するステップと、前記所定の領域に光ビームを照射することによって、特定の情報領域が存在するか否かを判断するステップと、前記特定の情報領域の存否によって、前記情報記録層の数を判断するステップと、を具備する。【選択図】図４
2009116990.tif 000002
【特許請求の範囲】
【請求項１】
光ディスクが有する情報記録層の数を検出することによって光ディスクの種類を判別する方法であって、
光ビームを照射する側から見て、光ディスクの表面に最も近い位置にある情報記録層に、光ディスクに照射する光ビームの焦点を合わせるステップと、
焦点を合わせた光ビームを、前記光ディスクの所定の領域に照射するステップと、
前記所定の領域に光ビームを照射することによって、特定の情報領域が存在するか否かを判断するステップと、
前記特定の情報領域の存否によって、前記情報記録層の数を判断するステップと、
を具備することを特徴とする光ディスクの判別方法。
【請求項２】
前記特定の情報領域の存否は、前記所定の領域に光ビームを照射した際に得られる反射光の光量に基づいて判断されることを特徴とする請求項１に記載の光ディスクの判別方法。
【請求項３】
前記特定の情報領域は、ＢＣＡ（Burst Cutting Area）であることを特徴とする請求項１又は２に記載の光ディスクの判別方法。
【請求項４】
前記光ディスクは、ＢＤ−ＲＥ或いはＢＤ−Ｒであることを特徴とする請求項３に記載の光ディスクの判別方法。
【請求項５】
光源から出射される光ビームを光ディスクの情報記録層に集光する対物レンズを有する光ピックアップと、光ディスクの種類を判別する判別手段と、を備える光ディスク装置であって、
前記判別手段は、
前記対物レンズ側から見て前記光ディスクの表面に最も近い位置にある情報記録層に、前記対物レンズの焦点位置を合わせる処理と、
前記対物レンズの焦点位置を合わせた後に、前記光ピックアップを所定の領域に移動する処理と、
前記所定の領域に光ビームを照射することによって、特定の情報領域が存在するか否かを判断する処理と、
前記特定の情報領域の存否によって、前記情報記録層の数を判断する処理と、
を実行させることを特徴とする光ディスク装置。
【請求項６】
前記特定の情報領域の存否の判断は、前記所定の領域に光ビームを照射した際に得られる反射光の光量に基づいて行われることを特徴とする請求項５に記載の光ディスク装置
【請求項７】
前記特定の情報領域は、ＢＣＡ（Burst Cutting Area）であることを特徴とする請求項５又は６に記載の光ディスク装置。
【請求項８】
前記光ディスクは、ＢＤ−ＲＥ或いはＢＤ−Ｒであることを特徴とする請求項７に記載の光ディスク装置。
【発明の詳細な説明】
【技術分野】
【０００１】
本発明は、光ディスクに記録される情報の再生や、光ディスクへの情報の記録を行うために使用される光ディスク装置において、再生や記録を行う対象となる光ディスクの種類を判別する方法に関する。また、本発明は、そのような判別方法が適用される光ディスク装置に関する。
【背景技術】
【０００２】
光ディスクについては、従来、コンパクトディスク（ＣＤ）やデジタル多用途ディスク（ＤＶＤ）といった光ディスクが普及しているが、最近では、ブルーレイディスク（ＢＤ）といった新しい規格の光ディスクも登場している。このブルーレイディスクは、記録密度の高密度化が図られ、大容量の情報を記録することが可能となっており、今後の普及が予想される。
【０００３】
ところで、ブルーレイディスクには、書き換え可能な光ディスク規格であるＢＤ−ＲＥと、追記型光ディスク規格であるＢＤ−Ｒと、再生専用光ディスク規格であるＢＤ−ＲＯＭと、がある。そして、それぞれの規格において、情報記録面を１層のみ有するシングルレーヤ（ＳＬ）タイプの光ディスクと、情報記録層を２層有するデュアルレーヤ（ＤＬ）タイプの光ディスクが開発されている。
【０００４】
このように、ブルーレイディスクの種類は多数あるために、ブルーレイディスクの再生や記録を、光ディスク装置を用いて行う場合、光ディスク装置に挿入されているブルーレイディスクの種類を先に判別しておく必要がある。すなわち、光ディスク装置に挿入されているブルーレイディスクが、ＢＤ−ＲＥ、ＢＤ−Ｒ、及びＢＤ−ＲＯＭのいずれであるのかを判別する必要がある。また、それらの判別ができたとして、その光ディスクがＳＬタイプであるのか、ＤＬタイプであるのかを、更に判別する必要がある。
【０００５】
ブルーレイディスクがＢＤ−ＲＥ、ＢＤ−Ｒ、ＢＤ−ＲＯＭのいずれであるかを判別する方法としては、従来、例えば、その反射率の違いを利用する方法が使用されている。すなわち、ブルーレイディスクの情報記録層に光ビーム（例えば、波長４０５ｎｍ）を照射し、その際に情報記録層で反射される反射光の信号レベルに基づいて、ブルーレイディスクの種別を判別する方法が行われている。
【０００６】
また、ブルーレイディスクがＳＬタイプであるか、ＤＬタイプであるか、を判別する方法としては、従来、例えば特許文献１や２に示されるような技術が使用される（なお、特許文献１、２は、ブルーレイディスクではなく他の光ディスクに関するものである）。
【０００７】
すなわち、対物レンズをブルーレイディスクに接離する方向（フォーカス方向）に所定量移動し、その際に得られる反射光の光量を示す信号（反射信号）のピークの数、或いはフォーカスＳ字信号の数を数える。そして、信号ピーク或いはＳ字信号の数が２つであれば、ＳＬタイプと判断し、信号ピーク或いはＳ字信号の数が３つであればＤＬタイプであると判断する。なお、信号ピーク或いはＳ字信号の数と情報記録層の数が一致していないのは、対物レンズの焦点位置がブルーレイディスクの表面に合うときにも、反射信号の信号ピーク或いはフォーカスＳ字信号が得られるからである。
【特許文献１】特開２００７−１４１３４７号公報
【特許文献２】特開２００２−３６７１７１号公報
【発明の開示】
【発明が解決しようとする課題】
【０００８】
しかしながら、ブルーレイディスクは、図５に示すように、情報記録層を覆うカバー層の厚みが非常に薄く（ＳＬタイプでは約０．１ｍｍ、ＤＬタイプでは、Ｌ０層約０．１ｍｍ,Ｌ１層約０．０７５ｍｍ）、更にＤＬタイプのＬ０層とＬ１層の厚みの差は小さい。このために、上述した従来の手法では、例えばＤＬタイプと判別すべきところ、信号ピーク同士の重なりが生じてうまく分離できず、信号ピークの数を誤ってＳＬタイプであると判断してしまう場合がある。
【０００９】
ＢＤ−ＲＯＭの場合には、光源であるレーザダイオード（ＬＤ）のレーザパワーの設定等について、ＳＬタイプ、ＤＬタイプで区別がないために、ＳＬタイプとＤＬタイプの判別に失敗しても、問題は少ない。しかし、ＢＤ−ＲＥやＢＤ−Ｒの場合には、ＳＬタイプとＤＬタイプとの間で、ＬＤのレーザパワーの設定等が異なるために、ＳＬタイプとＤＬタイプの判別の失敗が及ぼす影響は大きく、正確な判別が要求される。
【００１０】
以上の点に鑑み、本発明の目的は、ＳＬタイプとＤＬタイプの判別を正確に行うことが可能な光ディスクの判別方法を提供することである。また、本発明の他の目的は、そのような光ディスクの判別方法を実行できる光ディスク装置を提供することである。
【課題を解決するための手段】
【００１１】
上記目的を達成するために本発明は、光ディスクが有する情報記録層の数を検出することによって光ディスクの種類を判別する方法であって、光ビームを照射する側から見て、光ディスクの表面に最も近い位置にある情報記録層に、光ディスクに照射する光ビームの焦点を合わせるステップと、焦点を合わせた光ビームを、前記光ディスクの所定の領域に照射するステップと、前記所定の領域に光ビームを照射することによって、特定の情報領域が存在するか否かを判断するステップと、前記特定の情報領域の存否によって、前記情報記録層の数を判断するステップと、を具備することを特徴としている。
【００１２】
これによれば、特定の情報領域の存否を判断して情報記録層の数を判別する構成であり、信号ピークの分離に失敗して情報記録層の数を誤ることがなく、正確に情報記録層の数を判断して、光ディスクの種類を判別することが可能となる。
【００１３】
また、本発明は、上記構成の光ディスクの判別方法において、前記特定の情報領域の存否は、前記所定の領域に光ビームを照射した際に得られる反射光の光量に基づいて判断されることとしてもよい。これによれば、特定の情報領域の記録情報まで読み取る必要がなく、簡単に特定の情報領域の存否を判断できる。
【００１４】
また、本発明は、上記構成の光ディスクの判別方法において、前記特定の情報領域は、ＢＣＡ（Burst Cutting Area）であることとしてもよい。
【００１５】
また、本発明は、上記構成の光ディスクの判別方法において、前記光ディスクは、ＢＤ−ＲＥ或いはＢＤ−Ｒであることとしてもよい。ＢＤ−Ｒ及びＢＤ−ＲＥの規格においては、ＢＣＡはＬ０層のみに形成されることになっている。このため、本発明によれば、ＢＤ−Ｒ及びＢＤ−ＲＥについて、それがシングルレーヤ（ＳＬ）の光ディスクであるのか、デュアルレーヤ（ＤＬ）の光ディスクであるかの判別が可能となる。
【００１６】
また、上記目的を達成するために本発明は、光源から出射される光ビームを光ディスクの情報記録層に集光する対物レンズを有する光ピックアップと、光ディスクの種類を判別する判別手段と、を備える光ディスク装置であって、前記判別手段は、前記対物レンズ側から見て前記光ディスクの表面に最も近い位置にある情報記録層に、前記対物レンズの焦点位置を合わせる処理と、前記対物レンズの焦点位置を合わせた後に、前記光ピックアップを所定の領域に移動する処理と、前記所定の領域に光ビームを照射することによって、特定の情報領域が存在するか否かを判断する処理と、前記特定の情報領域の存否によって、前記情報記録層の数を判断する処理と、を実行させることを特徴としている。
【００１７】
これによれば、光ディスクの情報記録層の数を判断するにあたって、特定の情報領域の存否によって判断する構成であり、信号ピークの分離に失敗して情報記録層の数を誤ることがなく、正確に情報記録層の数を判断することが可能となる。そして、光ディスクの種類を正確に判別できるために、光ディスク装置の信頼性が向上する。
【００１８】
また、本発明は、上記構成の光ディスク装置において、前記特定の情報領域の存否の判断は、前記所定の領域に光ビームを照射した際に得られる反射光の光量に基づいて行われることとしてもよい。これによれば、特定の情報領域の記録情報まで読み取る必要がなく、簡単に特定の情報領域の存否を判断できる。
【００１９】
また、本発明は、上記構成の光ディスク装置において、前記特定の情報領域は、ＢＣＡ（Burst Cutting Area）であることとしてもよい。
【００２０】
また、本発明は、上記構成の光ディスク装置において、前記光ディスクは、ＢＤ−ＲＥ或いはＢＤ−Ｒであることとしてもよい。ＢＤ−Ｒ及びＢＤ−ＲＥの規格においては、ＢＣＡはＬ０層のみに形成されることになっている。このため、ＢＤ−Ｒ及びＢＤ−ＲＥについて、それがシングルレーヤ（ＳＬ）の光ディスクであるのか、デュアルレーヤ（ＤＬ）の光ディスクであるかの判別が可能となる。
【発明の効果】
【００２１】
本発明によれば、例えばＢＤ−ＲＥ或いはＢＤ−Ｒについて、ＳＬタイプとＤＬタイプの判別を正確に行うことが可能な光ディスクの判別方法を提供可能である。また、本発明によれば、そのような判別方法が適用されることにより、例えばＢＤ−ＲＥ或いはＢＤ−Ｒについて、ＳＬタイプとＤＬタイプの判別を正確に行うことが可能であり、信頼性の高い光ディスク装置を提供することができる。
【発明を実施するための最良の形態】
【００２２】
以下、本発明の実施形態について、図面を参照しながら説明する。なお、ここで示す実施形態は本発明の実施形態の一例であり、本発明は、ここで示す実施形態に限定される趣旨ではない。すなわち、本発明の目的を逸脱しない範囲で種々の変更が可能である。
【００２３】
まず、本実施形態の光ディスク装置の構成について説明する。図１は、本実施形態の光ディスク装置の構成を示すブロック図である。なお、本実施形態の光ディスク装置１は、ブルーレイディスク（この言葉は、原則としてＢＤ−ＲＥ、ＢＤ−Ｒ、及びＢＤ−ＲＯＭを特に区別しない場合の表現として使用する）の再生と記録を可能に設けられている。また、図１においては、一例として、ブルーレイディスク５０のシングルレーヤ（ＳＬ）タイプが装置内に挿入されている状態を示している。
【００２４】
スピンドルモータ２は、ターンテーブル１９（後述の図２参照）に連結され、ターンテーブル１９を回転可能となっている。また、ターンテーブル１９は、ブルーレイディスク５０を着脱自在に保持する。したがって、スピンドルモータ２を回転させることにより、ターンテーブル１９に保持されるブルーレイディスク５０を回転させることができる。
【００２５】
光ピックアップ３は、光源から出射される光ビームをブルーレイディスク５０に照射し、ブルーレイディスク５０に記録されている情報の読み取りや、ブルーレイディスク５０への情報の書き込みを可能とする装置である。この光ピックアップ３の構成は公知の光ピックアップと同様の構成であるが、図２を参照しながら簡単に説明する。
【００２６】
なお、図２は、本実施形態の光ディスク装置１に備えられる光ピックアップ３について説明するための平面図である。また、図２においては、ブルーレイディスク５０を破線で示しているが、ブルーレイディスク５０は、光ピックアップ３の上部（紙面に対して垂直な方向に沿って、紙面より手前側）に位置している。
【００２７】
光ピックアップ３は、波長４０５ｎｍのレーザビームを出射するレーザダイオード（図示せず）と、レーザダイオードから出射されたレーザビームをブルーレイディスク５０の情報記録層（Ｌ０層又はＬ１層；図５参照））に集光する対物レンズ２１と、レーザダイオードから出射され、情報記録層で反射した反射光を受光するフォトディテクタ（図示せず）と、を備える。対物レンズ２１は、アクチュエータ（図示せず）に搭載された状態となっており、このアクチュエータの作用によって、少なくともフォーカス方向とトラッキング方向とに移動可能となっている。
【００２８】
なお、フォーカス方向とは、ブルーレイディスク５０に対して接離する方向であり、トラッキング方向とは、ブルーレイディスクの半径方向と平行な方向である。
【００２９】
また、光ピックアップ３は、図示しない駆動機構によって、ラジアル方向（ブルーレイディスク５０の半径方向に対して平行な方向）に延びる２本のガイドレール２０に沿って摺動するように形成されている。これにより、光ピックアップ３は、ラジアル方向に自在に移動し、ブルーレイディスク５０の任意のアドレスに適宜アクセスすることができる。
【００３０】
なお、光ピックアップ３を駆動する駆動機構は、例えば、光ピックアップ３に形成されるラックと、スライドモータと、スライドモータによって回転されるピニオンとを備え、ラックとピニオンの関係を利用して光ピックアップ３を移動する。また、ガイドレール２０は、光ディスク装置１の内部に形成されている。
【００３１】
図１に戻って、スピンドルモータ駆動回路４は、スピンドルモータ２の回転の制御を行う。
【００３２】
スライドモータ駆動回路５は、光ピックアップ３をラジアル方向へ移動させる手段として設けられるスライドモータの駆動を制御する。本実施形態においては、スライドモータはステッピングモータで形成されている。このために、駆動パルスの数に基づいて、スライドモータ駆動回路５は光ピックアップ３の半径方向の位置について把握することが可能である。
【００３３】
なお、駆動パルスの数に基づいて光ピックアップ３の位置を検出するにあたって、光ピックアップ３の基準位置を検出する手段が必要となるが、これは、例えばフォトインタラプタを配置する等すればよい。
【００３４】
ＲＦアンプ６は、光ピックアップ３のフォトディテクタ（図示せず）から電気信号を供給されて、再生ＲＦ信号、フォーカスエラー信号（ＦＥ信号）、トラッキングエラー信号（ＴＥ信号）、反射信号等の生成を行う。生成された再生ＲＦ信号は、後述のイコライザ７に供給される。ＦＥ信号及びＴＥ信号は後述のサーボ回路１１に供給される。また、ＦＥ信号と反射信号とは、後述の全体制御部１７に供給される。
【００３５】
なお、反射信号は、ブルーレイディスク５０で反射される反射光の反射光量に応じた信号強度を示す信号であって、フォトディテクタで検出される信号を総和した総和信号として得られる。
【００３６】
イコライザ７は、ＲＦアンプ６より供給された再生ＲＦ信号に対してイコライズ調整（波形等化処理）を行う。ここで、イコライズ調整は、再生ＲＦ信号に対して、ある周波数を超える成分をカットオフするとともに、ブーストする処理である。
【００３７】
クロック抽出用ＰＬＬ回路８は、ＰＬＬ（Phase Locked Loop）といわれている回路構成を持つ同期信号発生回路である。Ａ／Ｄ変換器９は、クロック抽出用ＰＬＬ回路８のクロックにタイミングを合わせる形で、イコライズ調整された再生ＲＦ信号をＡ／Ｄ変換する。
【００３８】
デコーダ１０は、Ａ／Ｄ変換された信号を受け取って、データの復調処理及びエラー訂正処理を行って再生データを出力する。
【００３９】
サーボ回路１１は、ＦＥ信号やＴＥ信号に基づいて、フォーカシング駆動信号やトラッキング駆動信号の生成等を行う。生成されたフォーカシング駆動信号やトラッキング駆動信号はアクチュエータ駆動回路１２に送られる。
【００４０】
アクチュエータ駆動回路１２は、サーボ回路１１からフォーカシング駆動信号やトラッキング駆動信号等を受け取って、対物レンズ２１（図２参照）が搭載されるアクチュエータの駆動を制御する。また、後述の全体制御部１７からの指令によっても、対物レンズ２１の位置を移動する。
【００４１】
エンコーダ１３は、外部からブルーレイディスク５０に記録する記録データを受け取り、誤り訂正符号（ＥＣＣ；error correcting code）の付加を行う。変調回路１４は、誤り訂正符号が付加されたデータについて所定の記録符号化方式によって符号化を行う。
【００４２】
記録補償回路１５は、変調回路１４によって記録符号化された信号が入力されると、所定のライトストラテジにしたがって、記録用のパルス（記録パルス）を生成する。なお、ライトストラテジとは、記録パルスに対する制御規則のことを指している。
【００４３】
レーザ駆動回路１６は、記録補償回路１５によって形成されたパルス波形にしたがって、光ピックアップ３のレーザダイオードを発振させる。
【００４４】
全体制御部１７は、マイクロコンピュータを備えて、光ディスク装置１を構成する各部と接続されており、各部が実行すべき動作に応じて適宜制御処理を実行する。また、本実施形態の光ディスク装置１においては、全体制御部１７は、光ディスク装置１内に挿入されているブルーレイディスク５０の詳細な種類を判別する判別手段としても機能する。この点については、後述する。
【００４５】
なお、全体制御部１７には、メモリ１８が備えられている。メモリ１８には、全体制御部１７が各種処理を行う上で必要となる各種のパラメータや動作プログラム等が記憶される。
【００４６】
次に、光ディスク装置１において、装置内に挿入されているブルーレイディスク５０の詳細な種類を判別する方法について説明する。ここでいう詳細な種類の判別とは、まず、装置内に挿入されるブルーレイディスク５０が、ＢＤ−ＲＥ、ＢＤ−Ｒ、及びＢＤ−ＲＯＭのうちのいずれであるか判別することである。そして、そのそれぞれについて、ＳＬタイプとＤＬタイプとのうちいずれであるかを判別することである。
【００４７】
図３及び図４は、本実施形態の光ディスク装置１において、ブルーレイディスクの詳細な種類を判別する際のフローを示すフローチャートである。以下、この図３及び図４を参照しながら説明する。
【００４８】
ブルーレイディスク５０の詳細な種類の判別は、例えば、ブルーレイディスク５０が光ディスク装置１内に挿入された場合や、光ディスク装置１の電源が投入された際に行われる。ブルーレイディスク５０の詳細な判別を開始すると、全体制御部１７は、スピンドルモータ駆動回路４に指示を出して、ブルーレイディスク５０を回転させる（ステップＳ１）。
【００４９】
次に、全体制御部１７は、アクチュエータ駆動回路１２に指示を出して、アクチュエータを動かすことによって対物レンズ２１を所定の位置に移動させる（ステップＳ２）。具体的には、対物レンズ２１の焦点位置がブルーレイディスク５０のディスク表面より十分手前となるように対物レンズ２１は移動される。
【００５０】
対物レンズ２１が所定の位置に移動されると、全体制御部１７はレーザ駆動回路１６に指示を出して、光ピックアップ３のレーザダイオードを所定のレーザパワーで発光させる（ステップＳ３）。そして、全体制御部１７は、アクチュエータ駆動回路１２に指示を出して、対物レンズ２１の移動を開始させる（ステップＳ４）。この際の対物レンズ２１の移動方向は、ブルーレイディスク５０へ近づく方向である。
【００５１】
ステップＳ４の対物レンズ２１の移動が開始されると同時（或いは、ステップＳ４の対物レンズ２１の移動が開始される少し前でもよい）に、全体制御部１７は、ＲＦアンプ６から反射信号の取得を開始する（ステップＳ５）。その後、対物レンズ２１が所定量移動したかどうかの確認が行われ（ステップＳ６）、所定量移動するまで、対物レンズ２１の移動及び反射信号の取得が続けられる。
【００５２】
なお、本実施形態では、対物レンズ２１をブルーレイディスク５０に近づく方向に所定量移動して、反射信号を取得する構成としているが、これに限定されない。すなわち、対物レンズ２１をブルーレイディスク５０から離れる方向に所定量移動して反射信号を取得する構成としても構わない。
【００５３】
対物レンズ２１が所定量移動されると、全体制御部１７は、得られた反射信号の信号レベルにより、ブルーレイディスク５０がＢＤ−ＲＯＭであるか否かを判断する（ステップＳ７）。ＢＤ−ＲＯＭであるか否かの判断は、予めメモリ１８に記憶されている閾値と得られた信号レベルとを比較することによって行われる。
【００５４】
ブルーレイディスク５０の種類がＢＤ−ＲＯＭであると判断された場合には、全体制御部１７は、更に、ＢＤ−ＲＯＭがＳＬタイプかＤＬタイプかの判断を行う（ステップＳ８）。この判断は、反射信号の信号ピークの数によって判断される。すなわち、反射信号の信号ピークの数が２つの場合にはＳＬタイプと判断し、信号ピークの数が３つの場合にはＤＬタイプであると判断する。なお、反射信号の信号ピークは、対物レンズ２１の焦点位置が、ブルーレイディスク５０の表面に合ったとき、及び情報記録層に合ったときに得られる。
【００５５】
上述のように、ブルーレイディスク５０においては、反射信号の信号ピークの数を間違える可能性がある。しかし、ＢＤ−ＲＯＭにおいては、ＳＬタイプとＤＬタイプの間で、レーザダイオードのレーザパワーの設定を異ならせるわけではなく、この段階での判別ミスの影響は大きな問題とならないために、従来の判別方法と同様の判別手法としている。
【００５６】
一方、光ディスク装置１内に挿入されているブルーレイディスク５０が、ＢＤ−ＲＯＭでないと判断された場合には、そのディスクがＢＤ−Ｒであるか否かの判断を全体制御部１７は行う（ステップＳ９）。ＢＤ−Ｒであるか否かの判断は、ＢＤ−ＲＯＭの場合と同様に、予めメモリ１８に記憶されている閾値と得られた反射信号の信号レベルとの比較によって行う。
【００５７】
ステップＳ９でＢＤ−Ｒでないと判断されると、全体制御部１７は、光ディスク装置１に挿入されているブルーレイディスク５０がＢＤ−ＲＥであると判断する（ステップＳ１０）。光ディスク装置１に挿入されたブルーレイディスク５０がＢＤ−Ｒ或いはＢＤ−ＲＥと判断された場合も、それらがＳＬタイプであるか、ＤＬタイプであるかの判断が行われるが、この判断はＢＤ−ＲＯＭの場合と異なる。
【００５８】
これは、上述のように、ＢＤ−Ｒ及びＢＤ−ＲＥでは、ＳＬタイプとＤＬタイプの間で、レーザダイオードのレーザパワーの設定等が異なるために、この段階で、ＳＬタイプであるか、ＤＬタイプであるかの判別を正確に行う必要があるからである。以下、ＢＤ−Ｒ或いはＢＤ−ＲＥと判断された場合における、ＳＬタイプかＤＬタイプかの判別手法について図４を参照しながら説明する。
【００５９】
光ディスク装置１に挿入されているブルーレイディスク５０がＢＤ−Ｒ或いはＢＤ−ＲＥであると判別されると、全体制御部１７は、ブルーレイディスク５０の表面に最も近い情報記録層にフォーカス合わせて、フォーカス制御を開始する（ステップＳ１１）。具体的には、対物レンズ２１を所定の位置からブルーレイディスク５０に近づく方向に移動させ、反射信号及びフォーカスエラー信号を観察しながら、情報記録層に由来する反射信号ピークが最初の現れた時点で、フォーカスの引き込みを行い、フォーカス制御を開始する。
【００６０】
フォーカス制御が開始されると、全体制御部１７は、スライドモータ駆動回路５に指令を出して、光ピックアップ３の位置を所定の位置に移動する（ステップＳ１２）。ここで、所定の位置は、ブルーレイディスク５０において、ＢＣＡ（Burst Cutting Area）５０ａ（図２参照）が形成されている可能性がある位置で、ブルーレイディスク５０の中心Ｏ（図２参照）から、２１．３〜２２．０ｍｍの距離を有する領域内のいずれかの位置である。
【００６１】
ＢＣＡ５０ａは、不正コピーに対するセキュリティ対策として設けられる領域で、バーコードが記録されている。このＢＣＡ５０ａは、ブルーレイディスク５０の最内周近傍に設けられるが、ＤＬタイプのブルーレイディスク５０においては、２つの情報記録層Ｌ０、Ｌ１（図５参照）のうち、Ｌ０層（光が照射される側から見て、奥側に存在する情報記録層）にのみ設けられることになっている。
【００６２】
なお、ＢＤ−ＲＯＭにおいては、ＢＣＡが設けられない場合もあり得る。このために、ＢＤ−ＲＯＭに対しては、ここで説明するＳＬタイプとＤＬタイプの判別方法は適用できない。
【００６３】
光ピックアップ３が、所定の位置に移動されると、次に、全体制御部１７によって、ＢＣＡが存在するか否かが確認される（ステップＳ１４）。この時点において、上述のように、光ピックアップ３からブルーレイディスク５０に照射されるレーザビームは、ディスク表面（光ピックアップ３に近い側の表面）に近い側の情報記録層にフォーカスが合った状態となっている。また、上述のように、ＢＣＡは、Ｌ０層にのみ形成されるものである。
【００６４】
このために、光ディスク装置１に挿入されているブルーレイディスク５０がＳＬタイプである場合には、光ピックアップ３からの光はＢＣＡを照射することになるが、ＤＬタイプの場合には、光ピックアップ３からの光はＢＣＡではない領域を照射することになる。光ピックアップ３からの光がＢＣＡを照射する場合と、ＢＣＡでない領域を照射する場合では、反射光の反射光量が異なったものとなる。
【００６５】
したがって、光ピックアップ３で反射光を検出してＲＦアンプで反射信号を生成し、その信号レベルとメモリ１８に予め記録される閾値との間で大小を比較することで、光ピックアップ３からの光がＢＣＡを照射しているか否かが判断できる。すなわち、ＢＣＡの存否を判断できることになる。
【００６６】
そして、ＢＣＡの存在の確認によってＢＣＡが存在すると判断された場合は、全体制御部１７は、光ディスク装置１に挿入されているブルーレイディスク５０がＳＬタイプであると判断する（ステップＳ１５）。一方、ＢＣＡが存在しないと判断された場合は、全体制御部１７は、光ディスク装置１に挿入されているブルーレイディスク５０がＤＬタイプであると判断する（ステップＳ１５）。以上によって、光ディスク装置１に挿入されているブルーレイディスク５０がＢＤ−Ｒ、或いはＢＤ−ＲＥであると判断された場合について、それがＳＬタイプであるか、ＤＬタイプであるか、を確実に判別することができる。
【００６７】
以上のように、本実施形態の光ディスク装置１においては、ＢＤ−Ｒ、ＢＤ−ＲＥについて、ＳＬタイプとＤＬタイプの判別を正確にできる。そして、本実施形態においては、その判別を、ＢＣＡに記録される情報の内容を読み取って判断するのではなく、反射光の光量に基づいてＢＣＡの存否に基づいて判断する構成である。このために、ＢＤ−Ｒ、ＢＤ−ＲＥにおける、ＳＬタイプとＤＬタイプとの判別を行う構成を実現し易い。
【００６８】
その他、以上に示した実施形態では、光ディスク装置が、ブルーレイディスクの記録及び再生を行う装置である場合について示したが、この構成に限定される趣旨ではない。すなわち、本発明は、ブルーレイディスクと他の少なくとも１種類の光ディスクに対して、情報の記録や再生を行える光ディスク装置にも適用できるのは言うまでもない。
【産業上の利用可能性】
【００６９】
本発明によれば、例えばＢＤ−ＲＥ及びＢＤ−Ｒについて、ＳＬタイプとＤＬタイプの判別を正確に行うことが可能となる。このために、本発明は光ディスクの判別を行う技術として有用である。
【図面の簡単な説明】
【００７０】
【図１】は、本実施形態の光ディスク装置の構成を示すブロック図である。
【図２】は、本実施形態の光ディスク装置に備えられる光ピックアップについて説明するための平面図である。
【図３】は、本実施形態の光ディスク装置において、ブルーレイディスクの詳細な種類を判別する際のフローを示すフローチャートの一部である。
【図４】は、本実施形態の光ディスク装置において、ブルーレイディスクの詳細な種類を判別する際のフローを示すフローチャートの一部で、図３の続きを示すフローチャートある。
【図５】は、ブルーレイディスクの構成を説明するための説明図である。
【符号の説明】
【００７１】
１          光ディスク装置
３          光ピックアップ
１７        全体制御部（判別手段）
２１        対物レンズ
５０        ブルーレイディスク
５０ａ      ＢＣＡ
Ｌ０、Ｌ１  情報記録層
【図１】
2009116990.tif 000003
【図３】
2009116990.tif 000004
【図４】
2009116990.tif 000005
【図５】
2009116990.tif 000006
【図２】
2009116990.tif 000007